(57)【要約】  衣服等の生地の合わせ目を閉じた状態でボタンホールやその付近を極力隠すことがなく、そのため、ボタンホール周辺のデザイン性を高めることができるボタンを提供すること。ボタンホール（３）に留め外して生地（１、２）の合わせ目を閉開するボタン（１０、３０）を、合わせ目を閉じた閉状態においてボタンホール側の生地（２）の表側に来るリング部（１１、３１）と、閉状態においてボタンホール側の生地（２）の裏側にあり、別個のボタン取付部材（２０、５０）によってボタン側の生地（１）に固定される被固定底部（１３、３３、４３）と、リング部（１１、３１）と被固定底部（１３、３３、４３）とを連結する連結部（１２、３２）とから構成し、連結部（１２、３２）の水平断面がリング部（１１、３１）の水平断面の範囲から出ないように設計する。
2011030427.tif 000002
【特許請求の範囲】
【請求項１】
生地（１、２）の合わせ目をなす一方の生地（１）に取り付けるボタン（１０、３０）にして、他方の生地（２）のボタンホール（３）に留め外しして該合わせ目を閉開するためのボタン（１０、３０）であって、
前記合わせ目を閉じた閉状態において前記他方の生地（２）の表側に来る上方のリング状のリング部（１１、３１）と、
前記閉状態において前記他方の生地（２）の裏側にあり、別個のボタン取付部材（２０、５０）と係合して前記一方の生地（１）に固定される下方の被固定底部（１３、３３、４３）と、
リング部（１１、３１）と被固定底部（１３、３３、４３）とを連結する連結部（１２、３２）とを有し、
前記連結部（１２、３２）は、上下方向に垂直なその水平断面が前記リング部（１１、３１）の水平断面の範囲内にあるボタン。
【請求項２】
前記リング部（１１、３１）は円形である請求項１のボタン。
【請求項３】
前記連結部（１２、３２）は、リング部（１１、３１）における互いに最も離隔した二部分から下方に延びる一対の部分である請求項１又は２のボタン。
【請求項４】
前記連結部（１２、３２）は、リング部（１１、３１）における互いに最も離隔した二部分よりも相互間隔が小さい二部分から下方に延びる一対の部分である請求項１又は２のボタン。
【請求項５】
前記ボタン取付部材（２０）は、基部（２１）と、基部（２１）から突出する一つ又は複数の突出部（２２）とを有し、突出部（２２）を生地（１）に貫通させ、次いで被固定底部（１３、３３）の一つ又は複数の開口（１４、３４）に通した後、塑性変形させることにより、被固定底部（１３、３３）を生地（１）に固定するものである請求項１又は２のボタン。
【発明の詳細な説明】
【技術分野】
【０００１】
本発明は、ボタン、特にボタンホールに出し入れして生地の合わせ目を開閉するボタンに関する。
【背景技術】
【０００２】
衣類、鞄類等の生地の合わせ目には、ボタンホールに留め外しして該合わせ目を閉開するタイプのボタンが一般的に使用されている。かかるボタンは、合わせ目をなす一方の生地にタック、糸等のボタン取付部材によって取り付けられ、これを、他方の生地に事前に形成されたボタンホールから他方の生地の表側に出すことにより、該合わせ目が閉じられる。
【発明の概要】
【発明が解決しようとする課題】
【０００３】
上記タイプのボタンでは、ボタンをボタンホールから（他方の生地の）表側に出して合わせ目を閉じた状態において、ボタンが、ボタンホールの一部やボタンホール付近の生地部分をその背後に隠す。そのため、ボタンホール周辺に施された装飾がボタンによって視界から遮られたり、あるいは、そのような装飾が、ボタンによって隠れる部分であるとして最初から与えられない場合もある。【０００４】
本発明は、上記の点に着目してなされたもので、その目的は、衣服等の生地の合わせ目を閉じた状態でボタンホールやその付近を極力隠すことがなく、そのため、ボタンホール周辺のデザイン性を高めることができるボタンを提供することにある。
【課題を解決するための手段】
【０００５】
上記課題を解決するため、本発明によれば、生地（布、織物の他、ボタンが取り付けられ得る皮革製、樹脂製等のシートを含む）の合わせ目をなす一方の生地に取り付けるボタンにして、他方の生地のボタンホールに留め外しして該合わせ目を閉開するためのボタンであって、前記合わせ目を閉じた閉状態において前記他方の生地の表側に来る上方のリング状のリング部と、前記閉状態において前記他方の生地の裏側にあり、別個のボタン取付部材（タック、糸等）と係合して前記一方の生地に固定される下方の被固定底部と、リング部と被固定底部とを連結する連結部とを有し、前記連結部は、上下方向に垂直なその水平断面が前記リング部の水平断面の範囲内にあるボタンが提供される。【０００６】
本発明では、一方の生地のボタンを他方の生地のボタンホールから表側に出して生地の合わせ目を閉じた閉状態において、被固定底部は他方の生地の裏側にあり、連結部はその水平断面がリング部の水平断面の範囲内にあって、他方の生地の表側から見るとリング部に隠れるため、他方の生地の表側からは実質的にリング部のみが見え（ボタンホールの間から被固定底部が多少見える場合もある）、そのため、リング部の内側に来る他方の生地の表側部分はリング部によって隠されることなく露出する。【０００７】
本発明において、リング部の形状としては、円形を好ましく挙げることができるが、ボタンホールに対する出し入れを円滑に行うことができ、かつ合わせ目を確実に閉じることができる限り、楕円（長円）、多角形等であってもよい。本発明の一実施形態において、前記リング部は円形である。【０００８】
本発明において、連結部は、上方のリング部と下方の被固定底部とを連結する部分であり、合わせ目の閉状態においてボタンホールに通されている。このような連結部を一つだけ設けることも可能であるが、ボタンの剛性を保つ等の観点から、二つ設けることが好ましい。本発明の一実施形態において、前記連結部は、リング部における互いに最も離隔した二部分から下方に延びる一対の部分である。ここで、リング部における互いに最も離隔した二部分は、リング部が円形の場合、一つの直径に沿って対向する二つの部分となる。また、本発明の別の実施形態において、前記連結部は、リング部における互いに最も離隔した二部分よりも相互間隔が小さい二部分から下方に延びる一対の部分である。ここで、リング部における互いに最も離隔した二部分よりも相互間隔が小さい二部分は、リング部が円形の場合、一つの直径に沿って対向する二つの部分以外の二つの部分となる。【０００９】
本発明の一実施形態において、前記ボタン取付部材として、基部と、基部から突出する一つ又は複数の突出部とを有し、突出部を生地に貫通させ、次いで被固定底部の一つ又は複数の開口に通した後、塑性変形（潰れ変形、折り曲げ変形等）させることにより、被固定底部を生地に固定するものを用いることができる。
【発明の効果】
【００１０】
本発明では、生地の合わせ目を閉じた状態でボタンホール側の生地の表側に来るリング部がボタンホールやその付近をほとんど隠すことがない。そのため、ボタンホール周辺に施された装飾が視界からほとんど遮られず、あるいは、ボタンホール周辺に装飾を付加する動機付けを与えることができ、ボタンホール周辺のデザイン性を高めることができる。
【図面の簡単な説明】
【００１１】
【図１】図１は、本発明の一実施形態に係るボタンの斜視図である。
【図２】図２は、図１のボタンの平面（上面）図である。
【図３】図３は、図２のＡ−Ａ線断面説明図である。
【図４】図４は、図２のＢ−Ｂ線断面説明図である。
【図５】図５は、図１のボタンにより生地の合わせ目を閉じた閉状態を示す縦断面説明図である。
【図６】図６は、図５の矢印Ｃから見た閉状態の平面説明図である。
【図７】図７は、本発明の別の実施形態に係るボタンの斜視図である。
【図８】図８は、図６のボタンの平面図である。
【図９】図９は、図７のボタンにより生地の合わせ目を閉じた閉状態を示す平面説明図である。
【図１０】図１０は、被固定底部の別の例を破断して示す部分平面説明図である。
【発明を実施するための形態】
【００１２】
以下、本発明の好適な実施形態を添付図面に基づいて説明する。図１及び２は、本発明の一実施形態に係るボタン１０の斜視図及び平面図であり、図３及び４は、図２のＡ−Ａ線及びＢ−Ｂ線断面説明図である。ボタン１０は、金属材料（例えばアルミニウム合金、真鍮等）又は樹脂材料（例えば、ポリエステル、ポリブチレンテレフタレート、ポリアセタール等）を成形及び／又は加工等して形成されるもので、円形リング状のリング部（ボタン本体）１１と、リング部１１における一直径方向に沿って（リング部１１の中心に対して１８０度離れた位置で）対向する二部分から下方（この方向は図４に基づく）に延びる一対の連結部１２と、連結部１２の各下端部間に延在する板状の被固定底部１３とを有する。各連結部１２の内側面及び外側面は、リング部１１の内周及び外周に沿って円弧状に湾曲しており、連結部１２の水平断面（上下方向に垂直な水平面に沿う断面）は、どの高さにおいても、リング部１１の（最大）水平断面の範囲から出ない。被固定底部１３の幅（上記一直径方向に垂直な方向の水平間隔）は、図２から分かるように、連結部１２に接する両端から両端間の中央へと若干広がり、この最も幅広の被固定底部１３の中央部に、ボタン１０を生地１（図５参照）に取り付ける際に、別個のボタン取付部材２０の軸部２２（図５参照）を通すための開口１４が設けられ、更に、被固定底部１３の上面における開口１４の周囲には環状に隆起した隆起部１５が付加される。
【００１３】
図５は、生地１にボタン取付部材２０により取り付けたボタン１０を、生地１と共に衣服（図示せず）の合わせ目をなす生地２に形成されたボタンホール３に通して該合わせ目を閉じた閉状態を示す縦断面説明図であり、図６は図５の矢印Ｃから見た閉状態の平面説明図である。ボタン取付部材２０は、円板状の基部２１と、基部２１の中央から突出する軸部（突出部）２２とを有し、ボタン取付部材２０の軸部２２を生地１に貫通させ、次いでリング部１１の被固定底部１３の開口１４に通した後、軸部２２の先端部２３を被固定底部１３上で加締めることにより、ボタン１０が生地１に固定される。この際、隆起部１５は、ボタン取付部材２０の加締めによって潰れ変形した軸部２２の先端部２３と接し、開口１４が変形しないように補強する役割を果たす。なお、図示はしないが、ボタン取付部材の別の例として、基部と、基部から突出する二つ以上の突出部とを有するものを用いることができ、この場合、それら突出部を、生地に貫通させ、次いで被固定底部の開口（突出部の数に対応する数の開口が設定される）に通した後、潰し変形や折り曲げ変形等を加えることにより、被固定底部が生地に固定される。
【００１４】
生地１、２の合わせ目をボタン１０で閉じるには、ボタン１０のリング部１１を、生地２のボタンホール３から生地２の表側（図５において生地２の上方）へと出す。この合わせ目の閉状態において、図６に示すように、生地２の表側からは実質的にリング部１１のみが見える。この閉状態において、ボタン１０の被固定底部１３は生地２の裏側にあって、ボタンホール３の間からわずかに覗き、また、連結部１２はボタンホール３に通されていて、生地２の表側からはリング部１１に隠れている。更に、二つの連結部１２がリング部１１の一直径方向に対向して配置されるため、閉状態（図６参照）において、両連結部１２間を結ぶリング部１１の上半分がボタンホール３の上方周辺生地部分に引っ掛かると共に、リング部１１の下半分がボタンホール３の下方周辺生地部分に引っ掛かる。このように、リング部１１によるボタンホール３の周辺生地部分に対する引っ掛かりは、ボタンホール３の上下で略均等な大きさとなる。
【００１５】
図７は、本発明の別の実施形態に係るボタン３０の斜視図であり、図８はボタン３０の平面図（図７に対し９０度回転している）である。ボタン３０は、円形リング状のリング部３１と、リング部３１における一直径方向から外れた二部分（リング部３１の中心に対して１８０度未満の範囲で離れた位置。本実施形態では一例として略９０度離れた位置）から下方に延びる一対の連結部３２と、連結部３２の各下端部間に延在する板状の被固定底部３３とを有し、被固定底部３３の中央にはボタン取付部材２０の軸部２２を通すための開口３４が設けられる。連結部３２の水平断面はリング部３１の水平断面の範囲内にあり、各連結部３２間の間隔すなわち被固定底部３３の長手方向長さは、第１実施形態のボタン１０に比べ（両リング部１１、３１の直径が同じだと仮定して）短く、更に、被固定底部３３は水平面内において中央から偏った位置にある。ボタン３０による合わせ目の閉状態において、図９に示すように、生地２（図６と共通するため同じ番号を付す。ボタンホールについても同じ。）の表側からは実質的にリング部３１のみが見え、この際、二つの連結部３２が上述したように直径方向から外れているため、ボタンホール３がリング部３１の中央から偏った位置に見える。閉状態においてはまた、ボタン３０の被固定底部３３は生地２の裏側にあり、連結部３２は生地２の表側からはリング部１１に隠れている。更に、二つの連結部３２がリング部３１の一直径方向から外れて配置されるため、閉状態（図９参照）において、両連結部３２間を短く結ぶリング部３１の上方小部分がボタンホール３の上方周辺生地部分に小さく引っ掛かると共に、両連結部３２間を長く結ぶリング部３１の下方大部分がボタンホール３の下方周辺生地部分に大きく引っ掛かる。このように、リング部３１によるボタンホール３の周辺生地部分に対する引っ掛かりは、ボタンホール３の上方で小さく、下方で大きくなる。
【００１６】
以上の実施形態では、ボタン１０、３０を生地１に固定するに際し、被固定底部１３、３３にボタン取付部材（タック）２０を通した後に加締める例を挙げたが、本発明はこれに限定されず、ボタン取付部材の別の例として糸を用いて被固定底部を生地に固定することができる。図１０は、複数（一例として四つ）の糸通し穴４４を有する被固定底部４３の平面を破断して示す概略図であり、被固定底部４３は糸通し穴４４に通した糸５０によって生地１に固定される。なお、被固定底部４３以外の部分（リング部、連結部）は、上述した二つの実施形態と共通するため説明を省略する。
【００１７】
以上のように、ボタン１０、３０では、生地１、２を閉じた状態で生地２の表側に来るリング部１１、３１がボタンホール３やその付近をほとんど隠さないため、ボタンホール３周辺に施された装飾を視界から遮ったりせず、また、ボタンホール３周辺に装飾を付加する動機付けを与え得る。
【符号の説明】
【００１８】
１、２  生地
３  ボタンホール
１０、３０  ボタン
１１、３１  リング部
１２、３２  連結部
１３、３３、４３  被固定底部
２０  ボタン取付部材（タック）
５０  ボタン取付部材（糸）
【図１】
2011030427.tif 000003
【図２】
2011030427.tif 000004
【図３】
2011030427.tif 000005
【図４】
2011030427.tif 000006
【図５】
2011030427.tif 000007
【図６】
2011030427.tif 000008
【図７】
2011030427.tif 000009
【図８】
2011030427.tif 000010
【図９】
2011030427.tif 000011
【図１０】
2011030427.tif 000012
【国際調査報告】
2011030427.tif 000013
2011030427.tif 000014
2011030427.tif 000015
2011030427.tif 000016